(57)【要約】【課題】仕切板を容易に製作でき、かつ取付作業を簡素化できるテーブルにおける仕切板の取付構造を提供すること。【解決手段】天板３の後部上方に左右方向を向くパネル５を設け、天板３上を左右方向に仕切る仕切板４をパネル５に取り付けるテーブル１における仕切板４の取付構造であって、仕切板４の後端部を左右方向から挟持する挟持部を有する仕切板支持部材１６がパネル５に取り付けられ、仕切板支持部材１６を介して仕切板４がパネル５に取り付けられる。【選択図】図１
2010104553.tif 000002
【特許請求の範囲】
【請求項１】
天板の後部上方に左右方向を向くパネルを設け、前記天板上を左右方向に仕切る仕切板を前記パネルに取り付けるテーブルにおける仕切板の取付構造であって、
前記仕切板の後端部を左右方向から挟持する挟持部を有する仕切板支持部材が前記パネルに取り付けられ、該仕切板支持部材を介して前記仕切板が前記パネルに取り付けられることを特徴とするテーブルにおける仕切板の取付構造。
【請求項２】
上下一対の前記仕切板支持部材が設けられ、該両仕切板支持部材の後端部には、係合部が形成されるとともに、前記パネルは、該係合部が着脱自在に係合される少なくとも上下一対の着脱支持部を有し、該着脱支持部における左右方向の所定位置に前記係合部が係合されることを特徴とする請求項１に記載のテーブルにおける仕切板の取付構造。
【請求項３】
前記仕切板の下端部における少なくとも一部が嵌合される嵌合溝を前記天板の上面に設けることを特徴とする請求項１または２に記載のテーブルにおける仕切板の取付構造。
【請求項４】
前記挟持部の前端部は、側面視で湾曲された略湾曲形状をなしていることを特徴とする請求項１ないし３のいずれかに記載のテーブルにおける仕切板の取付構造。
【発明の詳細な説明】
【技術分野】
【０００１】
本発明は、天板の後部上方に左右方向を向くパネルを設け、前記天板上を左右方向に仕切る仕切板を前記パネルに取り付けるテーブルにおける仕切板の取付構造に関する。
【背景技術】
【０００２】
従来、天板の後部上方に左右方向を向くパネル部を設けた机があり、この机では、パネル部の前面側に、上下方向に延びるあり溝状の係合溝を設け、この係合溝に仕切板の後端部に設けた上下方向に延びる係合片を上方から係合することで、パネル部の前面側に仕切板を取り付けるようにしている（例えば、特許文献１参照）。
【０００３】
【特許文献１】特許第３４７７０６０号公報（第３頁、第１〜３図）
【発明の開示】
【発明が解決しようとする課題】
【０００４】
しかしながら、特許文献１に記載の机（テーブル）にあっては、仕切板の後端部の形状を係合片が設けられた形状にしなければならず、仕切板のデザインに制約が生じ、仕切板の製作作業が煩雑になるばかりか、パネル部の係合溝に仕切板の係合片を上方から係合しなければならず、仕切板の取付作業が煩雑になるという問題がある。
【０００５】
本発明は、このような問題点に着目してなされたもので、仕切板を容易に製作でき、かつ取付作業を簡素化できるテーブルにおける仕切板の取付構造を提供することを目的とする。
【課題を解決するための手段】
【０００６】
前記課題を解決するために、本発明の請求項１に記載のテーブルにおける仕切板の取付構造は、
天板の後部上方に左右方向を向くパネルを設け、前記天板上を左右方向に仕切る仕切板を前記パネルに取り付けるテーブルにおける仕切板の取付構造であって、
前記仕切板の後端部を左右方向から挟持する挟持部を有する仕切板支持部材が前記パネルに取り付けられ、該仕切板支持部材を介して前記仕切板が前記パネルに取り付けられることを特徴としている。
この特徴によれば、仕切板の後端部の形状は、少なくとも仕切板支持部材の挟持部に挟持される板状であればよく、仕切板のデザインに制約を設けずに済むようになり、かつ板状の仕切板の後端部を、仕切板支持部材により左右から挟持することで取付作業を簡単に行うことができる。
【０００７】
本発明の請求項２に記載のテーブルにおける仕切板の取付構造は、請求項１に記載のテーブルにおける仕切板の取付構造であって、
上下一対の前記仕切板支持部材が設けられ、該両仕切板支持部材の後端部には、係合部が形成されるとともに、前記パネルは、該係合部が着脱自在に係合される少なくとも上下一対の着脱支持部を有し、該着脱支持部における左右方向の所定位置に前記係合部が係合されることを特徴としている。
この特徴によれば、パネルにおける左右方向のいずれの位置であっても、仕切板を仕切板支持部材を介して取り付けることができ、少なくとも上下一対の着脱支持部を用いて仕切板がぐらつくことなくパネルに取り付けられる。また、仕切板で仕切られた天板上の領域の変更を行い易くなる。
【０００８】
本発明の請求項３に記載のテーブルにおける仕切板の取付構造は、請求項１または２に記載のテーブルにおける仕切板の取付構造であって、
前記仕切板の下端部における少なくとも一部が嵌合される嵌合溝を前記天板の上面に設けることを特徴としている。
この特徴によれば、板状の仕切板の下端部と嵌合溝という簡素な構造で、仕切板の下端部を着脱可能な状態で天板の上面に取り付けることができる。
【０００９】
本発明の請求項４に記載のテーブルにおける仕切板の取付構造は、請求項１ないし３のいずれかに記載のテーブルにおける仕切板の取付構造であって、
前記挟持部の前端部は、側面視で湾曲された略湾曲形状をなしていることを特徴としている。
この特徴によれば、挟持部に応力が集中し易い角部が形成されずに済み、仕切板に外部から衝撃が加わっても、仕切板にひび割れや亀裂が生じないように、挟持部が仕切板を挟持できる。
【発明を実施するための最良の形態】
【００１０】
本発明に係るテーブルにおける仕切板の取付構造を実施するための最良の形態を実施例に基づいて以下に説明する。
【実施例】
【００１１】
本発明の実施例を図面に基づいて説明すると、先ず図１は、本発明の実施例における記載台を示す斜視図であり、図２は、記載台を示す正面図であり、図３は、図２における記載台を示すＡ−Ａ縦断側面図であり、図４（ａ）は、仕切板支持部材を示す正面図であり、図４（ｂ）は、図４（ａ）における仕切板支持部材を示すＢ−Ｂ縦断側面図であり、図５（ａ）は、仕切板受部材を示す平面図であり、図５（ｂ）は、図５（ａ）における仕切板受部材を示すＣ−Ｃ縦断側面図であり、図６は、仕切板を取り付ける際の記載台を示す縦断側面図であり、図７は、記載用紙が投入口から投入される際の引出部を示す縦断側面図であり、図８は、収納箱部を開放した状態の引出部を示す縦断側面図である。以下、図３、図４（ｂ）、図５〜図８の紙面左方側を記載台の正面側（前方側）として説明する。
【００１２】
図１の符号１は、本発明の適用されたテーブルとしての記載台である。この記載台１は、主に病院等の受付において、来院者が個人情報などを所定の記載用紙２に記載するときに使用される。この記載台１の天板３は、来院者が起立した状態で使い易い所定の高さ位置に設けられているとともに、左右２人の来院者が同時に使用できる広さを有している。
【００１３】
図１に示すように、記載台１には、天板３の上面の領域を左右方向に仕切る仕切板４が設けられており、この仕切板４によって天板３上の一方の領域の使用者の手元が、他方の領域の使用者から見えないようにしている。
【００１４】
また、天板３の後部上方には、左右方向を向くパネル５が設けられている。このパネル５の正面側には、記載用紙２を保持する用紙ホルダ６が取り付けられているとともに、仕切板４の後端部が取り付けられるようになっている。
【００１５】
更に、天板３の下方には、来院者が天板３上で記載用紙２に個人情報等を記載する際に、書き損じた記載用紙２を投入する本実施例における収納部としての引出部７が設けられている。この引出部７は、天板３の左右の領域の使用者が使い易いように、天板３の下方における左右方向の中央部に設けられている。
【００１６】
本実施例における記載台１について具体的に説明すると、この記載台１は、床面に立設される前部支柱８と後部支柱９とを有している。前部支柱８の上端部には、天板３が当接されるとともに、前部支柱８の上部と後部支柱９の上下方向の略中央部とを、互いに連結して、天板３を支持する支持フレーム１０が設けられている。
【００１７】
天板３は平面視で略矩形状をなし、この天板３の後部角部には、角部が切り欠かれて形成された天板切欠部１１が形成されており、この天板切欠部１１には、下方から延設される後部支柱９が配置されるようになっている。つまり後部支柱９は天板３とは接続されずに、天板３の左右位置に配置されるようになっている。
【００１８】
また、前部支柱８と後部支柱９の下部同士は、下部連結フレーム１２により連結されているとともに、後部支柱９の上部同士を連結する上部連結フレーム１３が設けられている。この上部連結フレーム１３は上下一対をなし、上下の両上部連結フレーム１３の間には、本実施例における着脱支持部としての板状フレーム１４が上下方向に複数（４本）並設されている。尚、板状フレーム１４は金属材質で製作されており、記載用紙２の記載例などの用紙をマグネットで貼り付けておくことができる。
【００１９】
図２及び図３に示すように、パネル５の下端部、すなわち下方側の上部連結フレーム１３の下端部は、天板３の上面から上方に離間されており、天板３と下方側の上部連結フレーム１３との間には、所定の隙間Ｌ１が形成される。この隙間Ｌ１は、天板３の上面を消毒・清掃する際に清掃者が天板３と下方側の上部連結フレーム１３との間に手を入れられる程度の寸法になっている。
【００２０】
図２に示すように、板状フレーム１４は、板状の部材が水平方向（左右方向）に延びる水平杆として形成されている。この板状フレーム１４は、その左右端部が後部支柱９に取り付けられるとともに、板状フレーム１４の左右端部近傍には、板状フレーム１４同士を互いに連結する連結棒１５が取り付けられている。
【００２１】
この連結棒１５の上下端部は、上下の両上部連結フレーム１３に取り付けられている。つまり板状フレーム１４は、後部支柱９と上部連結フレーム１３とにより強固に支持されている。尚、上下の両上部連結フレーム１３と上下方向に複数並設された板状フレーム１４とにより本実施例におけるパネル５が構成されている。
【００２２】
図３及び図６に示すように、板状フレーム１４には、仕切板４をパネル５に対して取り付けるための仕切板支持部材１６が取り付けられる。１枚の仕切板４に対して上下一対の仕切板支持部材１６が用いられるようになっており、上下の仕切板支持部材１６は同一構成となっている。
【００２３】
図４（ａ）及び図４（ｂ）に示すように、仕切板支持部材１６の後端部には、板状フレーム１４に係合される係合部１７が形成されるとともに、仕切板支持部材１６の前部は、側面視で半円形をなし、仕切板４の後端部を左右方向から挟持する挟持部１８が形成されている。
【００２４】
仕切板支持部材１６の係合部１７は、側面視で略コ字形状をなすように形成されており、その上下端部に後方に突出された係合爪１９を有している。この上下の両係合爪１９が板状フレーム１４の上下端縁を上下方向から係合するようになっている。この係合爪１９によって仕切板支持部材１６は板状フレーム１４に対して着脱自在に取り付けられるようになっている。尚、仕切板支持部材１６は板状フレーム１４に沿って左右方向の任意の位置に取り付けることができる。
【００２５】
仕切板支持部材１６の挟持部１８は、側面視で前端縁が湾曲された略湾曲形状（半円形状）をなすように形成されている。挟持部１８は、係合部１７から延設されており、１つの仕切板支持部材１６に対して左右に２つ設けられている。この左右の挟持部１８が１枚の仕切板４の後端部を左右方向から挟持するようになっている。挟持部１８の内面には、内方に突出された小さな凸部２０が形成されており、この凸部２０には、後述する仕切板４の貫通孔２１が係合されるようになっている。
【００２６】
図４（ｂ）及び図６に示すように、仕切板４の後端部の近傍には、左右方向に貫通された小さな貫通孔２１が形成されている。仕切板４の後端部をパネル５に取り付ける際に、仕切板４の後端部を仕切板支持部材１６の挟持部１８に挟持させると同時に、仕切板４の貫通孔２１に挟持部１８の凸部２０が係合される。この凸部２０により仕切板４は上下方向や前後方向にぐらつくことなく仕切板支持部材１６に挟持されるようになっている。
【００２７】
図６に示すように、天板３の前端部近傍には、上下方向に貫通して平面視で長円形状をなす長孔部２２が形成されており、この長孔部２２には、仕切板４の下端部が取り付けられる仕切板受部材２３が設けられている。
【００２８】
また、仕切板４は側面視で略矩形状をなしている。この仕切板４は、その下端部が大きく切り欠かれて仕切板切欠部２４が形成されている。この仕切板切欠部２４は、側面視で前方側が下がるように傾斜された下端部となっている。
【００２９】
仕切板４の下端部における前部側には、仕切板受部材２３に設けられた嵌合溝２５に嵌合される本実施例における天板取付部としての嵌合片２６が形成されている。尚、仕切板４の下端部の仕切板切欠部２４の前後寸法Ｓ１は、仕切板４の嵌合片２６の前後寸法Ｓ２より大きな寸法となっている。
【００３０】
図５（ａ）及び図５（ｂ）に示すように、仕切板受部材２３は、平面視で長円形状をなし仕切板受部材２３の下部の形状が天板３に設けられた長孔部２２に嵌合される形状になっている。この仕切板受部材２３には、上方が開口する嵌合溝２５が形成されており、この嵌合溝２５に仕切板４の嵌合片２６が嵌合されるようになっている。
【００３１】
尚、図３に示すように、仕切板４の下端部の仕切板切欠部２４は、天板３の上面から上方に離間されており、天板３と仕切板４との間には、所定の隙間Ｌ２が形成される。この隙間Ｌ２は、天板３の上面を消毒・清掃する際に清掃者が天板３と仕切板４との間に手を入れられる程度の寸法になっている。
【００３２】
また、仕切板切欠部２４が側面視で前方側が下がるように傾斜されることで、仕切板４の下端部を天板３から離間させても、天板３上の一方の領域の使用者の手元が、他方の領域の使用者から見え難いようになっている。
【００３３】
尚、仕切板４は天板３に対して着脱自在になっており、天板３から仕切板４を取り外した状態で、天板３の上面の消毒・清掃を行えるようになっている。更に尚、仕切板受部材２３は、天板３の長孔部２２に対して着脱自在になっており、長孔部２２から仕切板受部材２３を取り外した状態で、天板３の上面の消毒・清掃を行えるようになっている。
【００３４】
図３及び図７に示すように、天板３の下方に設けられた引出部７は、前方及び上方が開口されて天板３の下面に対して上端部が固着された箱体２７と、この箱体２７の左右両側板の内面に設けられたレール２８を介して前後方向に摺動可能に取り付けられた収納箱部２９と、この収納箱部２９の前端に固着されて箱体２７の前方の開口を閉塞する正面板３０と、により構成されている。
【００３５】
図１及び図２に示すように、引出部７には、正面板３０の上端部の中央部（一部）が切り欠かれて形成された投入口３１が設けられている。正面板３０の上端部は、正面板３０が箱体２７を閉塞した際に、天板３を支持する支持フレーム１０に当接されるようになっている（図７参照）。
【００３６】
図７に示すように、天板３上で記載用紙２に個人情報等を記載する際に、書き損じた記載用紙２を正面板３０の投入口３１から収納箱部２９内部に投入して、書き損じた記載用紙２の管理を行うことができる。尚、支持フレーム１０の下端縁は、側面視で湾曲された形状に形成されており、前方の斜め方向から書き損じた記載用紙２を投入し易いようになっている。
【００３７】
また、正面板３０には、錠前３２が設けられている（図１及び図２参照）。錠前３２をかけると正面板３０と箱体２７の側板とが係合され、収納箱部２９が前方に引き出されることが防止される。錠前３２の鍵を管理者が管理することで、書き損じた記載用紙２の管理を厳密に行うことができる。
【００３８】
また、箱体２７における収納箱部２９よりも下方位置には、記載用紙２を収納できる下部収納部３３が設けられている。この下部収納部３３は、収納箱部２９の下面が箱体２７の底面から離間されることで形成される。尚、下部収納部３３の上下寸法Ｔ１は、収納箱部２９の内部の上下寸法Ｔ２の１／２以上（半分以上）の寸法となっている。また、正面板３０は、収納箱部２９と下部収納部３３との両方を閉塞しており、正面板３０を引き出すことで下部収納部３３も開放されるようになっている（図８参照）。
【００３９】
図８に示すように、下部収納部３３には、予備の記載用紙２などを収納させておくことができ、用紙ホルダ６内の記載用紙２が無くなった際には、管理者が下部収納部３３から予備の記載用紙２を取り出して用紙ホルダ６に補充することができる。
【００４０】
以上、本実施例における記載台１では、仕切板４の後端部を左右方向から挟持する挟持部１８を有する仕切板支持部材１６がパネル５に取り付けられ、仕切板支持部材１６を介して仕切板４がパネル５に取り付けられることで、仕切板４の後端部の形状は、少なくとも仕切板支持部材１６の挟持部１８に挟持される板状であればよく、仕切板４のデザインに制約を設けずに済むようになり、かつ板状の仕切板４の後端部を、仕切板支持部材１６により左右から挟持することで取付作業を簡単に行うことができる。尚、記載台１の製造業者が記載台１を購入する顧客の要望に合わせて仕切板４のデザインを変更する場合でも、仕切板支持部材１６の形状を変える必要がなく、デザインを変更された仕切板４を容易に交換できる。
【００４１】
また、上下一対の仕切板支持部材１６が設けられ、両仕切板支持部材１６の後端部には、係合部１７が形成されるとともに、パネル５は、係合部１７が着脱自在に係合される少なくとも上下一対の板状フレーム１４（着脱支持部）を有し、板状フレーム１４における左右方向の所定位置に係合部１７が係合されることで、パネル５における左右方向のいずれの位置であっても、仕切板４を仕切板支持部材１６を介して取り付けることができ、少なくとも上下一対の板状フレーム１４を用いて仕切板４がぐらつくことなくパネル５に取り付けられる。
【００４２】
また、仕切板４の下端部における少なくとも一部が嵌合される嵌合溝２５を天板３の上面に設けることで、板状の仕切板４の下端部と嵌合溝２５という簡素な構造で、仕切板４の下端部を着脱可能な状態で天板３の上面に取り付けることができる。
【００４３】
また、仕切板支持部材１６の挟持部１８の前端部は、側面視で湾曲された略湾曲形状をなしていることで、挟持部１８に応力が集中し易い角部が形成されずに済み、仕切板４に外部から衝撃が加わっても、仕切板４にひび割れや亀裂が生じないように、挟持部１８が仕切板４を挟持できる。
【００４４】
以上、本発明の実施例を図面により説明してきたが、具体的な構成はこれら実施例に限られるものではなく、本発明の要旨を逸脱しない範囲における変更や追加があっても本発明に含まれる。
【００４５】
例えば、前記実施例では、仕切板４の下端部に嵌合片２６が設けられ、この嵌合片２６が天板３に設けられた仕切板受部材２３の嵌合溝２５に嵌合されるようになっているが、天板３に嵌合溝２５等を設けずに、仕切板４の下端部を天板３の上面に当接させて、仕切板４を支持する構成としてもよく、仕切板４の下端部を天板３の当接させるだけならば、仕切板４を左右方向の任意の位置に設けることができ、仕切板４で仕切られた天板３上の左右の領域の広さの変更を行い易くなる。
【図面の簡単な説明】
【００４６】
【図１】本発明の実施例における記載台を示す斜視図である。
【図２】記載台を示す正面図である。
【図３】図２における記載台を示すＡ−Ａ縦断側面図である。
【図４】（ａ）は、仕切板支持部材を示す正面図であり、（ｂ）は、（ａ）における仕切板支持部材を示すＢ−Ｂ縦断側面図である。
【図５】（ａ）は、仕切板受部材を示す平面図であり、（ｂ）は、（ａ）における仕切板受部材を示すＣ−Ｃ縦断側面図である。
【図６】仕切板を取り付ける際の記載台を示す縦断側面図である。
【図７】記載用紙が投入口から投入される際の引出部を示す縦断側面図である。
【図８】収納箱部を開放した状態の引出部を示す縦断側面図である。
【符号の説明】
【００４７】
１                記載台（テーブル）
２                記載用紙（物品）
３                天板
４                仕切板（物品）
５                パネル
６                用紙ホルダ（物品）
７                引出部（収納部）
８                前部支柱
９                後部支柱
１０              支持フレーム
１１              天板切欠部
１２              下部連結フレーム
１３              上部連結フレーム
１４              板状フレーム（着脱支持部）
１５              連結棒
１６              仕切板支持部材（物品）
１７              係合部
１８              挟持部
１９              係合爪
２０              凸部
２１              貫通孔
２２              長孔部
２３              仕切板受部材
２４              仕切板切欠部
２５              嵌合溝
２６              嵌合片（天板取付部）
２７              箱体
２８              レール
２９              収納箱部
３０              正面板
３１              投入口
３２              錠前
３３              下部収納部
【図１】
2010104553.tif 000003
【図２】
2010104553.tif 000004
【図３】
2010104553.tif 000005
【図４】
2010104553.tif 000006
【図５】
2010104553.tif 000007
【図６】
2010104553.tif 000008
【図７】
2010104553.tif 000009
【図８】
2010104553.tif 000010